(57)【特許請求の範囲】
【請求項１】
汚泥を取り扱う汚泥取扱装置の性能試験方法であって、
水とパルプと凝集剤とを混合して所定濃度のパルプスラリーを調整し、これを汚泥取扱装置の性能試験に供することを特徴とする汚泥取扱装置の性能試験方法。
【請求項２】
前記パルプスラリーは、さらにイーストを混合したパルプスラリーであることを特徴とする請求項１記載の汚泥取扱装置の性能試験方法。
【請求項３】
前記汚泥取扱装置をソリッドポンプとして性能試験を実施することを特徴とする請求項１又は２記載の汚泥取扱装置の性能試験方法。
【発明の詳細な説明】
【０００１】
【発明の属する技術分野】
本発明は、汚泥を取り扱う装置の性能試験方法に関する。
【０００２】
【従来の技術】
例えば汚泥取扱装置としてのポンプの性能試験では、清水用ポンプであれ、ソリッド用ポンプ（スラリーポンプとも称す）であれ、清水を用いて性能試験を行っている。このようにソリッドポンプでも清水を用いているのは、実際にソリッドポンプで輸送する汚泥は、たとえ同じ種類であっても排出される場所或いは季節、時間等によって成分や含水率等が異なる不均一なものであり、再現性のある性能試験を実施できないからである。
【０００３】
【発明が解決しようとする課題】
従って、ソリッドポンプを清水で試験し、経験に基づく類推で性能曲線を描いてこれを基に性能を表しているが、これでは実際の性能との精度が低いため、性能を十分且つ的確に把握することが望まれている。
【０００４】
本発明は、このような課題を解決するために成されたものであり、ソリッドポンプを始めとした汚泥取扱装置の性能が十分且つ的確に把握可能とされる性能試験方法を提供することを目的とする。
【０００５】
【課題を解決するための手段】
本発明による汚泥取扱装置の性能試験方法は、汚泥を取り扱う汚泥取扱装置の性能試験方法であって、水とパルプと凝集剤とを混合して所定濃度のパルプスラリーを調整し、これを汚泥取扱装置の性能試験に供することを特徴としている。
【０００６】
このような汚泥取扱装置の性能試験方法によれば、水とパルプと凝集剤とを混合して得られるパルプスラリーは、特に凝集剤が混合されることによりパルプの親水性が向上され、水とパルプの分離が抑制されて均一に混合されると共に粘滑性が向上されて、性状が汚泥に類似とされ、この擬似汚泥が所定濃度に調整されることにより、再現性のある性能試験が実施可能とされる。
【０００７】
ここで、パルプスラリーが、さらにイーストを混合したパルプスラリーであると、当該パルプスラリーの性状が、汚泥に一層類似とされる。
【０００８】
また、汚泥取扱装置をソリッドポンプとして性能試験を実施すると、当該性能試験が、従来の清水では無く、実際に使用する汚泥に類似したパルプスラリーを用いて行われるため、性能が高精度に把握されるようになる。
【０００９】
【発明の実施の形態】
以下、本発明に係る汚泥取扱装置の性能試験方法の好適な実施形態について添付図面を参照しながら説明する。図１は、本発明による低濃度用ソリッドポンプ（汚泥取扱装置）の性能試験に用いられる装置を示す概略構成図である。
【００１０】
この装置は、所定濃度のパルプスラリーを調整するパルプスラリー製造装置１０と、低濃度用ソリッドポンプ６を有し、パルプスラリー製造装置１０で調整されたパルプスラリーを用いて当該低濃度用ソリッドポンプ６の性能を試験する試験設備１１と、を具備して成る。
【００１１】
パルプスラリー製造装置１０は、原料パルプ供給ラインＬ１に接続される破砕機１と、給水ラインＬ３及び凝集剤供給ラインＬ４に接続される凝集剤調整槽２と、イーストを貯留するイースト貯槽３と、破砕機１からの破砕パルプ供給ラインＬ２、凝集剤調整槽２からの凝集剤水溶液供給ラインＬ５及びイースト貯槽３からのイースト供給ラインＬ６に接続される混合機４と、を備え、試験設備１１は、混合機４からのパルプスラリー供給ラインＬ７に接続されるポンプ試験槽５と、ポンプ試験槽５の外部循環ラインＬ８に介装される低濃度用ソリッドポンプ６と、を備えている。
【００１２】
破砕機１は、例えば二軸剪断式等の破砕機で構成され、原料パルプ供給ラインＬ１を介して供給される原料パルプを、水との混合が容易なパルプとすべく細かく破砕する。
【００１３】
凝集剤調整槽２は、撹拌翼２ａを備え、給水ラインＬ３を介して供給される水と、凝集剤供給ラインＬ４を介して供給される凝集剤とを、当該撹拌翼２ａの駆動により撹拌し、所定濃度の凝集剤水溶液に調整する。
【００１４】
混合機４は、螺旋羽根４ａを備え、破砕機１から破砕パルプ供給ラインＬ２を介して供給される破砕パルプと、凝集剤調整槽２から凝集剤水溶液供給ラインＬ５を介して供給される凝集剤水溶液と、イースト貯槽３からイースト供給ラインＬ６を介して供給されるイーストとを、当該螺旋羽根４ａの駆動により混合し、所定濃度の均一なパルプスラリーに調整する。
【００１５】
ポンプ試験槽５は、撹拌翼５ａを備え、混合機４からパルプスラリー供給ラインＬ７を介して供給されるパルプスラリーを、当該撹拌翼５ａの駆動により撹拌し、常時均一な所定濃度のパルプスラリーとして保持する。
【００１６】
ポンプ試験槽５の外部循環ラインＬ８に介装される低濃度用ソリッドポンプ６は、その駆動によりポンプ試験槽５の所定濃度のパルプスラリーを、ポンプ試験槽５、外部循環ラインＬ８の経路で循環輸送する。
【００１７】
次に、このような装置による低濃度用ソリッドポンプ６の性能試験の手順について説明する。
【００１８】
先ず、原料パルプ供給ラインＬ１を介して原料パルプを破砕機１に供給する。ここで、この原料パルプとしては、定常的な入手が可能であると共に、後述の凝集剤水溶液との混合で濃度が均一なパルプスラリーを容易に調整し得る漂白パルプや未晒しパルプ等を用いることが好ましいが、例えば古紙再生パルプやその他のパルプ等であっても良い。そして、この原料パルプを破砕機１で破砕して破砕パルプとする。この破砕パルプとしては、後段の混合機４での均一な混合を可能とすべく５０ｍｍ角以下とすることが好ましい。
【００１９】
なお、原料パルプは一般的に５０％程度の含水率を有しているが、破砕等の途中で乾燥してしまうと後段の混合機４での凝集剤水溶液との混合が困難になるため、破砕機１を経由して混合機４に入る過程でこれらの原料パルプや破砕パルプが乾燥しないよう養生を行うことが好ましい。
【００２０】
一方、凝集剤調整槽２では、所定量の水に所定量の凝集剤を導入し、所定濃度の凝集剤水溶液に調整する。
【００２１】
ここで、凝集剤は、無機系か有機系か等の種類は特に限定されないが、特にアニオン系やノニオン系の凝集剤を用いることが好ましい。また、凝集剤水溶液の濃度を０．０１〜０．３ｗｔ％程度とすると、後述の凝集剤の良好な効果を得ることが可能である。
【００２２】
次に、混合機４で、所定量の破砕パルプ、所定濃度に調整された凝集剤水溶液、所定量のイーストを混合する。
【００２３】
ここで、この混合機４での混合の際に凝集剤が混合されるため、パルプの親水性が向上され、水とパルプの分離が抑制されて均一に混合されると共に粘滑性が向上されて、性状が汚泥（特に活性汚泥）に類似するパルプスラリーとなる。
【００２４】
さらに、このパルプスラリーにイーストが添加されるため、性状が一層汚泥に類似する擬似汚泥とされる。このイーストの添加量は、原料パルプの乾燥重量に対し０〜５０％とすることが好ましい。
【００２５】
そして、この擬似汚泥は混合機４での混合により所定濃度に調整され、ポンプ試験槽５に供給されて当該ポンプ試験槽５で常時均一な所定濃度の擬似汚泥として保持される。
【００２６】
このようにして擬似汚泥の準備が成されたら、低濃度用ソリッドポンプ６を駆動し、所定の低濃度に均一に調整された擬似汚泥を循環輸送することで、当該ソリッドポンプ６の性能試験を実施し、所定のデータを得る。
【００２７】
このように、本実施形態においては、水とパルプと凝集剤とを混合することにより、性状が汚泥に類似する擬似汚泥としてのパルプスラリーを得、これを所定濃度に調整しているため、再現性のある性能試験が実施可能とされている。このため、ソリッドポンプ６の性能を十分且つ的確に把握することが可能とされている。
【００２８】
さらに、イーストの混合によりパルプスラリーの性状が汚泥に一層類似とされているため、ソリッドポンプ６の性能を一層十分且つ的確に把握することが可能とされている。
【００２９】
なお、パルプスラリーは、調整が容易且つ長期間の保存が可能であり、性能試験後の清掃も簡単である。
【００３０】
図２は、本発明による高濃度用ソリッドポンプの性能試験に用いられる装置を示す概略構成図である。この装置が図１に示す装置と違う点は、低濃度用ソリッドポンプ６に代えて高濃度用ソリッドポンプ１６を用い、凝集剤調整槽２での水の量、凝集剤の量、混合機４での破砕パルプの量、凝集剤水溶液の量等を変えることで、混合機４で得られる擬似汚泥としてのパルプスラリーの濃度を高濃度に調整している点である。
【００３１】
ここで、ポンプ試験槽５には、高濃度で流動性が悪いパルプスラリーを容易に外部循環ラインＬ８に排出すべく、撹拌翼５ａに代えて切出機５ｂが配設されている。
【００３２】
このような装置にあっても、前述した低濃度用ソリッドポンプ６の場合と同様に、ポンプ試験槽５に保持される擬似汚泥としてのパルプスラリーが、高濃度用ソリッドポンプ１６の駆動により循環輸送されて当該高濃度用ソリッドポンプ１６の性能試験が実施される。従って、低濃度用ソリッドポンプ６の場合と同様に当該高濃度用ソリッドポンプ１６の性能を十分且つ的確に把握することが可能である。
【００３３】
すなわち、これらの実施形態によれば、低濃度用から高濃度用のソリッドポンプ６，１６に対して再現性のある性能試験が実施可能とされ、これらポンプ６，１６の性能を十分且つ的確に把握することが可能とされている。従って、例えば下水処理場や廃水処理場等で汚泥（特に活性汚泥）の輸送に採用されるソリッドポンプの性能試験として実施すると最適である。
【００３４】
以上、本発明をその実施形態に基づき具体的に説明したが、本発明は上記実施形態に限定されるものではなく、例えば、上記実施形態においては、性能試験の適用対象を、従来では清水を用いて性能試験をしていたソリッドポンプ６，１６としその性能を高精度に把握可能としているが、例えば、汚泥を取り扱う脱水機やコンベア等に対しても適用可能であり、要は、汚泥を取り扱う装置全てに対して適用可能である。
【００３５】
【発明の効果】
本発明による汚泥取扱装置の性能試験方法は、水とパルプと凝集剤とを混合してパルプスラリーを得、特に凝集剤を混合することによりパルプの親水性を向上し、水とパルプの分離を抑制して均一な混合を可能にすると共に粘滑性を向上して、性状を汚泥に類似とし、この擬似汚泥を所定濃度に調整することにより、再現性のある性能試験を実施可能としているため、汚泥取扱装置の性能を十分且つ的確に把握することが可能となる。
【図面の簡単な説明】
【図１】本発明による低濃度用ソリッドポンプの性能試験に用いられる装置を示す概略構成図である。
【図２】本発明による高濃度用ソリッドポンプの性能試験に用いられる装置を示す概略構成図である。
【符号の説明】
１…破砕機、２…凝集剤調整槽、３…イースト貯槽、４…混合機、５…ポンプ試験槽、６，１６…ソリッドポンプ（汚泥取扱装置）、Ｌ１…原料パルプ供給ライン、Ｌ２…破砕パルプ供給ライン、Ｌ３…給水ライン、Ｌ４…凝集剤供給ライン、Ｌ５…凝集剤水溶液供給ライン、Ｌ６…イースト供給ライン、Ｌ７…パルプスラリー供給ライン、Ｌ８…外部循環ライン。
【図１】
0003593508.tif 000002
【図２】
0003593508.tif 000003